(57)【特許請求の範囲】
【請求項１】
マルチメディアコンテンツの配信のシステムであって、
ワイヤレスワイドエリアネットワーク（ＷＷＡＮ）スペクトルを介してフェムトセルと直接通信し、前記ＷＷＡＮスペクトル上でマルチメディアコンテンツ制御情報を前記フェムトセルへ送信するように構成される、モバイルデバイスを備え、
前記マルチメディアコンテンツ制御情報はマルチメディアコンテンツを選択するように構成され、
前記フェムトセルは、
前記ＷＷＡＮスペクトル上で、前記モバイルデバイスから前記マルチメディアコンテンツ制御情報を受信し、
前記マルチメディアコンテンツ制御情報に応答して、ホワイトスペーススペクトル上でマルチメディアコンテンツをビデオディスプレイへ送信するように構成され、前記送信されるマルチメディアコンテンツは前記マルチメディアコンテンツ制御情報に基づいて選択される、
システム。
【請求項２】
前記フェムトセルは、さらに、
インターネットへの接続を介して前記マルチメディアコンテンツを取り出すように構成され、前記取り出しは、前記マルチメディアコンテンツ制御情報に応答したものである、請求項１に記載のシステム。
【請求項３】
前記フェムトセルと通信し、モバイルデバイスとは別個である、家庭用コンピューティングデバイスをさらに備え、前記フェムトセルは、さらに、前記家庭用コンピューティングデバイスを介して、前記インターネットから前記マルチメディアコンテンツを取り出すように構成される、請求項２に記載のシステム。
【請求項４】
前記フェムトセルは、さらに、
複数の放送信号を受信し、
送信のための前記マルチメディアコンテンツを備える、前記放送信号のうちの選択された１つの放送信号を特定するように構成され、前記特定は、前記マルチメディアコンテンツ制御情報に従う、請求項１に記載のシステム。
【請求項５】
前記モバイルデバイスは、さらに、
前記モバイルデバイスのユーザが前記マルチメディアコンテンツを選択することを可能にするために、ユーザインターフェースを生成して表示するように構成される、請求項１に記載のシステム。
【請求項６】
前記ホワイトスペーススペクトルは、全国的にブロードキャストサービスに割り当てられたスペクトルを備え、前記ホワイトスペーススペクトルは、局所的には割り当てられていない、請求項１に記載のシステム。
【請求項７】
前記フェムトセルは、さらに、
テレビ局からの信号と補助サービス局からの信号とを検出するために、全国的にブロードキャストサービスへ割り当てられた前記ホワイトスペーススペクトルを含むスペクトルを監視し、
前記ホワイトスペーススペクトルを、前記監視に少なくとも一部基づいて特定するように構成される、請求項５に記載のシステム。
【請求項８】
前記マルチメディアコンテンツは、前記ビデオディスプレイに表示されるブロードキャストプログラムの映像品質を強化するために、１つまたは複数の層の符号化された映像を備える、請求項１に記載のシステム。
【請求項９】
前記ホワイトスペーススペクトルは、Ｆｏｒｗａｒｄ  Ｌｉｎｋ  Ｏｎｌｙエアインターフェース仕様とともに使用するために割り当てられたスペクトルを備える、請求項１に記載のシステム。
【請求項１０】
マルチメディアコンテンツの配信の方法であって、
フェムトセルにおいて、マルチメディアコンテンツ制御情報を、ワイヤレスワイドエリアネットワーク（ＷＷＡＮ）スペクトルを介して、直接モバイルデバイスから受信することと、なお、前記マルチメディアコンテンツ制御情報はマルチメディアコンテンツを選択するように構成される、
前記受信されたマルチメディアコンテンツ制御情報に応答して、ホワイトスペーススペクトル上でマルチメディアコンテンツをビデオディスプレイへ送信することと、なお、前記送信されるマルチメディアコンテンツは前記マルチメディアコンテンツ制御情報に基づいて選択される、
を備える、方法。
【請求項１１】
インターネットを介して前記マルチメディアコンテンツを取り出すことをさらに備え、前記取り出しは、前記マルチメディアコンテンツ制御情報に応答したものである、請求項１０に記載の方法。
【請求項１２】
複数の放送信号を受信することと、
前記マルチメディアコンテンツを備える、前記放送信号のうちの選択された１つの放送信号を、前記マルチメディアコンテンツ制御情報に従って特定することと、をさらに備える、請求項１０に記載の方法。
【請求項１３】
前記ホワイトスペーススペクトルは、全国的にブロードキャストサービスに割り当てられたスペクトルを備え、前記ホワイトスペーススペクトルは、局所的には割り当てられていない、請求項１０に記載の方法。
【請求項１４】
テレビ局からの信号と補助サービス局からの信号とを検出するために、全国的にブロードキャストサービスに割り当てられた前記ホワイトスペーススペクトルを含むスペクトルを監視することと、
前記ホワイトスペーススペクトルを、前記監視に少なくとも一部基づいて特定することと、をさらに備える、請求項１０に記載の方法。
【請求項１５】
前記マルチメディアコンテンツは、有線接続を介して受信される、前記ビデオディスプレイ上のブロードキャストプログラムの映像品質を強化するための、１つまたは複数の層の符号化された映像を備える、請求項１０に記載の方法。
【請求項１６】
前記ホワイトスペーススペクトルは、Ｆｏｒｗａｒｄ  Ｌｉｎｋ  Ｏｎｌｙエアインターフェース仕様に割り当てられたスペクトルを備える、請求項１０に記載の方法。
【請求項１７】
マルチメディアコンテンツの配信のためのフェムトセルであって、
ワイヤレスワイドエリアネットワーク（ＷＷＡＮ）スペクトルを介して直接モバイルデバイスからマルチメディアコンテンツ制御情報を受信するように構成される、ＷＷＡＮスペクトル受信機と、なお、前記マルチメディアコンテンツ制御情報はマルチメディアコンテンツを選択するように構成される、
前記ＷＷＡＮスペクトル受信機と通信可能に結合され、前記マルチメディアコンテンツ制御情報に応答して、ビデオディスプレイへ向けられたマルチメディアコンテンツを前記ホワイトスペーススペクトル上で送信するように構成される、ホワイトスペーススペクトル送信機と、なお、前記送信されるマルチメディアコンテンツは前記マルチメディアコンテンツ制御情報に基づいて選択される、
を備える、フェムトセル。
【請求項１８】
前記ＷＷＡＮスペクトル受信機および前記ホワイトスペーススペクトル送信機と通信可能に結合され、
送信のための前記マルチメディアコンテンツを特定するために、前記マルチメディアコンテンツ制御情報を処理し、
インターネットを介して前記マルチメディアコンテンツを取り出すように構成される、マルチメディアコンテンツモジュールをさらに備える、請求項１７に記載のフェムトセル。
【請求項１９】
前記ＷＷＡＮスペクトル受信機および前記ホワイトスペーススペクトル送信機と通信可能に結合され、
複数の放送信号を受信し、
前記マルチメディアコンテンツ制御情報を処理して、前記複数の放送信号から、送信のための前記マルチメディアコンテンツを特定するように構成される、マルチメディアコンテンツモジュールをさらに備える、請求項１７に記載のフェムトセル。
【請求項２０】
前記ホワイトスペーススペクトルは、全国的にブロードキャストサービスに割り当てられたスペクトルを備え、前記ホワイトスペーススペクトルは、局所的には割り当てられていない、請求項１７に記載のフェムトセル。
【請求項２１】
前記ホワイトスペーススペクトル送信機と通信可能に結合され、
テレビ局からの信号と補助サービス局からの信号とを検出するために、全国的にブロードキャストサービスに割り当てられた、前記ホワイトスペーススペクトルを含むスペクトルを監視し、
前記ホワイトスペーススペクトルを、前記監視に少なくとも一部基づいて特定するように構成される、ホワイトスペース検出モジュールをさらに備える、請求項１７に記載のフェムトセル。
【請求項２２】
前記マルチメディアコンテンツは、前記ビデオディスプレイ上の放送プログラムと一体化して映像品質を強化するのに使用可能な、１つまたは複数の層の符号化された映像を備える、請求項１７に記載のフェムトセル。
【請求項２３】
前記ホワイトスペーススペクトルは、Ｆｏｒｗａｒｄ  Ｌｉｎｋ  Ｏｎｌｙエアインターフェース仕様に割り当てられたスペクトルを備える、請求項１７に記載のフェムトセル。
【請求項２４】
マルチメディアコンテンツの配信のためのデバイスであって、
フェムトセルにおいて、マルチメディアコンテンツ制御情報を、ワイヤレスワイドエリアネットワーク（ＷＷＡＮ）スペクトルを介して直接モバイルデバイスから受信するための手段と、なお、前記マルチメディアコンテンツ制御情報はマルチメディアコンテンツを選択するように構成される、
前記受信されたマルチメディアコンテンツ制御情報に応答して、ビデオディスプレイへ向けられたマルチメディアコンテンツをホワイトスペーススペクトル上で送信するための手段と、なお、前記送信されるマルチメディアコンテンツは前記マルチメディアコンテンツ制御情報に基づいて選択される、
を備える、デバイス。
【請求項２５】
インターネットを介して前記マルチメディアコンテンツを取り出すための手段をさらに備え、前記取り出しは、前記マルチメディアコンテンツ制御情報に応答したものである、請求項２４に記載のデバイス。
【請求項２６】
複数の放送信号を受信するための手段と、
前記マルチメディアコンテンツを備える、前記放送信号のうちの選択された１つの放送信号を、前記マルチメディアコンテンツ制御情報に従って特定するための手段と、
をさらに備える、請求項２４に記載のデバイス。
【請求項２７】
テレビ局からの信号と補助サービス局からの信号とを検出するために、全国的にブロードキャストサービスに割り当てられた、前記ホワイトスペーススペクトルを含むスペクトルを監視するための手段と、
前記ホワイトスペーススペクトルを、前記監視に少なくとも一部基づいて特定するための手段と、
をさらに備える、請求項２４に記載のデバイス。
【請求項２８】
前記ホワイトスペーススペクトルは、全国的にブロードキャストサービスに割り当てられたスペクトルを備え、前記ホワイトスペーススペクトルは、局所的には割り当てられていない、請求項２４に記載のデバイス。
【請求項２９】
前記ビデオディスプレイ上のブロードキャストプログラムの映像品質を強化するようにフォーマットされた、１つまたは複数の層の符号化された映像を取り出すための手段をさらに備える、請求項２４に記載のデバイス。
【請求項３０】
前記ホワイトスペーススペクトルは、Ｆｏｒｗａｒｄ  Ｌｉｎｋ  Ｏｎｌｙエアインターフェース仕様に割り当てられたスペクトルを備える、請求項２４に記載のデバイス。
【請求項３１】
コンピュータに、フェムトセルにおいて、マルチメディアコンテンツ制御情報を、ワイヤレスワイドエリアネットワーク（ＷＷＡＮ）スペクトルを介して直接モバイルデバイスから受信させるためのコードと、なお、前記マルチメディアコンテンツ制御情報はマルチメディアコンテンツを選択するように構成される、
前記コンピュータに、前記受信されたマルチメディアコンテンツ制御情報に応答して、ビデオディスプレイへ向けられたホワイトスペーススペクトル上でマルチメディアコンテンツをホワイトスペーススペクトル上で送信させるためのコードと、なお、前記送信されるマルチメディアコンテンツは前記マルチメディアコンテンツ制御情報に基づいて選択される、
を備える、コンピュータプログラム。
【請求項３２】
前記コンピュータに、前記マルチメディアコンテンツ制御情報に応答して前記マルチメディアコンテンツを取り出させるためのコードをさらに備える、請求項３１に記載のコンピュータプログラム。
【請求項３３】
前記コンピュータに、複数の放送信号を受信させるためのコードと、
前記コンピュータに、前記マルチメディアコンテンツを備える、前記放送信号のうちの選択された１つの放送信号を、前記マルチメディアコンテンツ制御情報に従って特定させるためのコードと、
をさらに備える、請求項３１に記載のコンピュータプログラム。
【請求項３４】
前記コンピュータに、テレビ局からの信号と補助サービス局からの信号とを検出するために、全国的にブロードキャストサービスに割り当てられた、前記ホワイトスペーススペクトルを含むスペクトルを監視させるためのコードと、
前記コンピュータに、前記ホワイトスペーススペクトルを、前記監視に少なくとも一部基づいて特定させるためのコードと、
をさらに備える、請求項３１に記載のコンピュータプログラム。
【発明の詳細な説明】
【技術分野】
【０００１】
以下は、全般にワイヤレス通信に関し、より詳細には、フェムトセルを介したマルチメディアコンテンツの配信に関する。ワイヤレス通信システムは、音声、映像、パケットデータ、メッセージング、放送など、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびこれらの様々な組合せがある。
【背景技術】
【０００２】
一般に、ワイヤレス多元接続通信システムは、各々が複数のモバイル端末のための通信を同時にサポートする、多数の基地局を含み得る。基地局は、ダウンストリームリンクおよびアップストリームリンク上で、モバイル端末と通信することができる。各基地局は、セルのカバレッジエリアと呼ばれ得る、カバレッジ範囲を有する。セルラー展開では、マクロセルは、地方（rural）、郊外、および都市のエリアのような広い領域をサービスするセルを表すのに使用される。「フェムトセル」は、より小さなセルであり、家庭、小企業、建物、または他の限られた領域での使用のために通常は展開される。フェムトセルは、ブロードバンド接続を介して、サービスプロバイダのネットワークに接続されることが多い。３ＧＰＰの用語では、フェムトセルは、ＵＭＴＳ（ＷＣＤＭＡ（登録商標）またはＨｉｇｈ  Ｓｐｅｅｄ  Ｐａｃｋｅｔ  Ａｃｃｅｓｓ（ＨＳＰＡ））ではＨｏｍｅ  ＮｏｄｅＢ（ＨＮＢ）、およびＬＴＥではＨｏｍｅ  ｅＮｏｄｅＢ（ＨｅＮＢ）と呼ばれ得る。
【０００３】
フェムトセルの利点には、（１）家庭における改善されたユーザ体験（より良好な音声のカバレッジおよびより高いデータスループット）、（２）マクロセルネットワークからのトラフィック負荷のオフロード、および（３）インフラ展開のコストの低減などがあり得る。強化されたサービスを提供するために、改善されたカバレッジおよび帯域幅の可用性がどのようにさらに活用され得るかを考えることは、価値があり得る。
【発明の概要】
【０００４】
説明される特徴は全般に、フェムトセルにおけるマルチメディアコンテンツの配信のための、１つまたは複数の改善されたシステム、方法、および／またはデバイスに関する。本発明のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は単に例として与えるものである。
【０００５】
フェムトセルにおけるマルチメディアコンテンツの配信のためのシステム、方法、デバイス、およびコンピュータプログラム製品が説明される。モバイルデバイスは、ワイヤレスワイドエリアネットワーク（ＷＷＡＮ）スペクトルを介して、マルチメディアコンテンツ制御情報をフェムトセルへ送信することができる。フェムトセルは、受信された制御情報によって特定されるマルチメディアコンテンツにアクセスし、ホワイトスペーススペクトル上でマルチメディアコンテンツをビデオディスプレイへ送信することができる。
【０００６】
マルチメディアコンテンツの配信のシステムの一例はモバイルデバイスを含み、このモバイルデバイスは、ワイヤレスワイドエリアネットワーク（ＷＷＡＮ）スペクトルを介してフェムトセルと通信しており、ＷＷＡＮスペクトル上でマルチメディアコンテンツ制御情報をフェムトセルへ送信するように構成される。このシステムはフェムトセルも含み、このフェムトセルは、ＷＷＡＮスペクトルを通じてマルチメディアコンテンツ制御情報を受信し、マルチメディアコンテンツ制御情報に応答して、ホワイトスペーススペクトル上で、マルチメディアコンテンツをビデオディスプレイへ送信するように構成される。モバイルデバイスはさらに、ユーザインターフェースを生成して表示し、モバイルデバイスのユーザがマルチメディアコンテンツを選択するのを可能にするように構成され得る。ホワイトスペーススペクトルは、全国的に（nationally）ブロードキャストサービス（broadcast service）に割り当てられていないスペクトルであってよい。フェムトセルはさらに、全国的にブロードキャストサービスに割り当てられたホワイトスペーススペクトルを含むスペクトルを監視して、テレビ局からの信号と補助サービス局からの信号とを検出し、監視に少なくとも一部基づいてホワイトスペーススペクトルを特定するように構成される。マルチメディアコンテンツは、ビデオディスプレイに表示されるブロードキャストプログラムの映像品質を強化するために、１つまたは複数の層の符号化された映像を含み得る。ホワイトスペーススペクトルは、Ｆｏｒｗａｒｄ  Ｌｉｎｋ  Ｏｎｌｙエアインターフェース仕様とともに使用するために割り当てられるスペクトルを含み得る。
【０００７】
システムは、フェムトセルと通信しておりモバイルデバイスとは別個である、家庭用コンピューティングデバイスを含んでよく、フェムトセルはさらに、家庭用コンピューティングデバイスを介して、インターネットからマルチメディアコンテンツを取り出すように構成される。システムは、インターネットへの有線接続を介してマルチメディアコンテンツを取り出すことができ、取り出しは、マルチメディアコンテンツ制御情報に応答したものである。システムは、放送信号（broadcast signal）を受信することができ、放送信号のうちの選択された１つの放送信号を、マルチメディアコンテンツとして特定することができる。
【０００８】
マルチメディアコンテンツの配信の方法のある例は、モバイルデバイスから、ワイヤレスワイドエリア（wide area）ネットワーク（ＷＷＡＮ）スペクトルを介して、マルチメディアコンテンツ制御情報を受信することと、受信されたマルチメディアコンテンツ制御情報に応答して、ホワイトスペーススペクトルを通じて、マルチメディアコンテンツをビデオディスプレイへ送信することとを含む。ホワイトスペーススペクトルは、全国的にブロードキャストサービスに割り当てられているが、局所的には割り当てられていないスペクトルを含み得る。マルチメディアコンテンツは、有線接続を介して受信される、ビデオディスプレイ上のブロードキャストプログラムの映像品質を強化するために、１つまたは複数の層の符号化された映像を含み得る。ホワイトスペーススペクトルは、Ｆｏｒｗａｒｄ  Ｌｉｎｋ  Ｏｎｌｙエアインターフェース仕様に割り当てられるスペクトルを含み得る。
【０００９】
そのような方法の例は、インターネットを介してマルチメディアコンテンツを取り出すことであって、取り出しがマルチメディアコンテンツ制御情報に応答する、取り出すことと、多数の放送信号を受信することと、マルチメディアコンテンツ制御情報に従って、放送信号のうちの選択された１つの放送信号をマルチメディアコンテンツとして特定することと、全国的にブロードキャストサービスに割り当てられたホワイトスペーススペクトルを含むスペクトルを監視して、テレビ局からの信号と補助サービス局からの信号とを検出することと、監視に少なくとも一部基づいて、ホワイトスペーススペクトルを特定することと、を含み得る。
【００１０】
マルチメディアコンテンツの配信のための例示的なフェムトセルは、モバイルデバイスからＷＷＡＮスペクトル上でマルチメディアコンテンツ制御情報を受信するように構成されるワイヤレスワイドエリアネットワーク（ＷＷＡＮ）スペクトル受信機と、ＷＷＡＮスペクトル受信機に通信可能に結合され、ビデオディスプレイに向けられたホワイトスペーススペクトル上でマルチメディアコンテンツを送信するように構成されるホワイトスペーススペクトル送信機と、ＷＷＡＮスペクトル受信機およびホワイトスペーススペクトル送信機に通信可能に結合され、マルチメディアコンテンツ制御情報を処理し、送信のためのマルチメディアコンテンツを特定するためのマルチメディアコンテンツモジュールと、を含む。マルチメディアコンテンツモジュールは、インターネットを介してマルチメディアコンテンツを取り出すことができる。マルチメディアコンテンツモジュールは、多数の放送信号を受信し、マルチメディアコンテンツ制御情報を処理して、多数の放送信号から、送信のためのマルチメディアコンテンツを特定することができる。ホワイトスペーススペクトルは、全国的にブロードキャストサービスに割り当てられているが局所的には割り当てられていないスペクトルであってよい。ホワイトスペース検出モジュールは、全国的にブロードキャストサービスに割り当てられた、ホワイトスペーススペクトルを含むスペクトルを監視し、テレビ局からの信号と補助サービス局からの信号とを検出して、ホワイトスペーススペクトルを特定することができる。マルチメディアコンテンツは、ビデオディスプレイ上の放送プログラムと一体化して、映像品質を強化するのに使用可能な、１つまたは複数の層の符号化された映像であってよい。ホワイトスペーススペクトルは、Ｆｏｒｗａｒｄ  Ｌｉｎｋ  Ｏｎｌｙエアインターフェース仕様に割り当てられるスペクトルであってよい。
【００１１】
マルチメディアコンテンツの配信のためのデバイスのある例は、モバイルデバイスから、ワイヤレスワイドエリアネットワーク（ＷＷＡＮ）スペクトルを介して、マルチメディアコンテンツ制御情報を受信するための手段と、受信されたマルチメディアコンテンツ制御情報に応答して、ホワイトスペーススペクトル上で、マルチメディアコンテンツをビデオディスプレイへ送信するための手段とを含む。デバイスは、インターネットを介してマルチメディアコンテンツを取り出すための手段を含んでよく、取り出しは、マルチメディアコンテンツ制御情報に応答したものである。デバイスは、複数の放送信号を受信するための手段と、マルチメディアコンテンツ制御情報に従って、放送信号のうちの選択された１つの放送信号をマルチメディアコンテンツとして特定するための手段とを含み得る。デバイスは、全国的にブロードキャストサービスに割り当てられた、ホワイトスペーススペクトルを含むスペクトルを監視して、テレビ局からの信号と補助サービス局からの信号とを検出するための手段と、監視に少なくとも一部基づいてホワイトスペーススペクトルを特定するための手段とを含み得る。ホワイトスペーススペクトルは、全国的にブロードキャストサービスに割り当てられているが、局所的には割り当てられていないスペクトルであってよい。デバイスは、ビデオディスプレイ上のブロードキャストプログラムの映像品質を強化するようにフォーマットされた、１つまたは複数の層の符号化された映像を取り出すための手段を含み得る。ホワイトスペーススペクトルは、Ｆｏｒｗａｒｄ  Ｌｉｎｋ  Ｏｎｌｙエアインターフェース仕様に割り当てられるスペクトルであってよい。
【００１２】
コンピュータプログラム製品のある例は、モバイルデバイスから、ワイヤレスワイドエリアネットワーク（ＷＷＡＮ）スペクトルを介して、マルチメディアコンテンツ制御情報を受信するためのコードと、受信されたマルチメディアコンテンツ制御情報に応答して、ビデオディスプレイへ向けられたホワイトスペーススペクトル上で、マルチメディアコンテンツを送信するためのコードとを含む、コンピュータ可読媒体を含む。コンピュータ可読媒体はさらに、マルチメディアコンテンツ制御情報に応答して、マルチメディアコンテンツを取り出すためのコードと、放送信号を受信して、マルチメディアコンテンツ制御情報に従って、放送信号のうちの選択された１つの放送信号をマルチメディアコンテンツとして特定するためのコードとを含み得る。コンピュータ可読媒体はさらに、全国的にブロードキャストサービスに割り当てられたスペクトルを監視して、テレビ局からの信号と補助サービス局からの信号とを検出するためのコードと、監視に少なくとも一部基づいてホワイトスペーススペクトルを特定するためのコードとを含み得る。
【００１３】
以下の図面を参照すれば、本発明の本質および利点のさらなる理解が得られ得る。添付の図において、同様のコンポーネントまたは特徴は同じ参照ラベルを有し得る。さらに、同じタイプの様々なコンポーネントは、ダッシュによる参照ラベルと、それらの同様のコンポーネント同士を区別する第２のラベルとに従って、区別され得る。第１の参照ラベルのみが明細書において使用される場合、その説明は、第２の参照ラベルにかかわらず、同じ第１の参照ラベルを有する同様のコンポーネントのうちのいずれの１つにも適用可能である。
【図面の簡単な説明】
【００１４】
【図１Ａ】図１Ａは、マルチメディアコンテンツの配信のためのワイヤレス通信システムのブロック図である。
【図１Ｂ】図１Ｂは、ＦＬＯスペクトルを使用したフェムトセルにおけるマルチメディアコンテンツの配信のためのワイヤレス通信システムのブロック図である。
【図１Ｃ】図１Ｃは、フェムトセルにおけるマルチメディアコンテンツの配信のためのワイヤレス通信システムのブロック図である。
【図１Ｄ】
【図２】図２は、ワイヤレス通信システムにおけるマルチメディアコンテンツの配信に使用されるフェムトセルのブロック図である。
【図３】図３は、フェムトセルにおけるマルチメディアコンテンツの配信のためのプロセッサモジュールのある例のブロック図である。
【図４】図４は、モバイルデバイスのある例を示すブロック図である。
【図５】図５は、フェムトセルにおけるマルチメディアコンテンツの配信のための方法のフローチャートである。
【図６】図６は、フェムトセルにおけるマルチメディアコンテンツの配信の取り出しおよび配信ための方法のフローチャートである。
【図７】図７は、ＦＬＯスペクトルを使用したフェムトセルにおけるマルチメディアコンテンツの配信のための方法のフローチャートである。
【図８】図８は、ホワイトスペーススペクトルを監視しフェムトセルを介して符号化された映像データの層を送信するための方法のフローチャートである。
【詳細な説明】
【００１５】
システム、方法、デバイス、およびコンピュータプログラム製品が、フェムトセルにおけるマルチメディアコンテンツの配信のために説明される。モバイルデバイスは、ワイヤレスワイドエリアネットワーク（ＷＷＡＮ）スペクトルを介して、マルチメディアコンテンツ制御情報をフェムトセルへ送信することができる。フェムトセルは、受信された制御情報を通じて特定可能であるマルチメディアコンテンツにアクセスし、ホワイトスペーススペクトル上で、マルチメディアコンテンツをビデオディスプレイへワイヤレスに送信することができる。
【００１６】
本明細書で説明される技法は、ＣＤＭＡ、ＴＤＭＡ、ＦＤＭＡ、およびＯＦＤＭＡのような様々なワイヤレス通信システムのために使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ）およびＣＤＭＡの他の変形を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のシステムおよび無線技術、ならびに他のシステムおよび無線技術に使用できる。
【００１７】
したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜、様々な手順またはコンポーネントを省略、置換、または追加し得る。たとえば、説明される方法は、説明される順序とは異なる順序で実行されてよく、様々なステップが追加、省略、または結合されてよい。また、いくつかの実施形態に関して説明される特徴は、他の実施形態において組み合わせられ得る。
【００１８】
最初に図１Ａを参照すると、ブロック図が、ワイヤレス通信システム１００Ａの例を示す。システム１００Ａは、モバイルデバイス１０５と、フェムトセル１３５と、コンテンツ源１２０と、ディスプレイ１３０とを含む。フェムトセル１３５は、ワイヤレスワイドエリアネットワーク（ＷＷＡＮ）モジュール１１０と、マルチメディアコンテンツモジュール１１５と、ホワイトスペースモジュール１２５とを含む。これらのコンポーネントの各々は、互いに、直接または間接的に通信していてよい。
【００１９】
フェムトセル１３５のこれらのコンポーネントは、個別にまたは集合的に、ハードウェア中の適用可能な機能の一部またはすべてを実行するように適合された１つまたは複数の特定用途向け集積回路（ＡＳＩＣ）によって実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体または一部が、１つまたは複数の汎用または特定用途向けプロセッサによって実行されるようにフォーマットされた、メモリ中に組み込まれた命令によって実装され得る。
【００２０】
モバイルデバイス１０５は、ＷＷＡＮスペクトル上で、マルチメディアコンテンツ制御情報をＷＷＡＮモジュール１１０へ送信することができる。マルチメディアコンテンツ制御情報は、モバイルデバイス１０５のユーザによって選択されるマルチメディアコンテンツを特定する情報を含み得る。マルチメディアコンテンツモジュール１１５は、マルチメディアコンテンツ制御情報を受信し処理することができ、次いで、（たとえば、インターネットへの有線もしくはワイヤレスの接続を介して、または、ローカルメディアサーバを介して）マルチメディアコンテンツにアクセスすることができる。マルチメディアコンテンツモジュール１１５は、マルチメディアコンテンツを処理し変換して、送信のためのコンテンツを準備することができる。ホワイトスペースモジュール１２５は、ホワイトスペーススペクトル上で、マルチメディアコンテンツをビデオディスプレイ１３０へワイヤレスに送信することができる。
【００２１】
ＷＷＡＮモジュール１１０、マルチメディアコンテンツモジュール１１５、およびホワイトスペースモジュール１２５は、複数のキャリア（異なる周波数の波形信号）での動作をサポートすることができる。マルチキャリア送信機は、複数のキャリア上で同時に、変調された信号を送信することができる。各々の変調された信号は、ＣＤＭＡ信号、ＴＤＭＡ信号、ＯＦＤＭＡ信号、ＳＣ−ＦＤＭＡ信号などであってよい。各々の変調された信号は、異なるキャリア上で送信されてよく、制御情報（たとえば、パイロット信号）、オーバーヘッド情報、データなどを搬送してよい。システム１００Ａは、マルチキャリアＬＴＥネットワークであってよい。
【００２２】
モバイルデバイス１０５は、移動局、アクセス端末（ＡＴ）、ユーザ装置（ＵＥ）、または加入者ユニットと呼ばれ得る。モバイルデバイス１０５は、セルラー電話またはワイヤレス通信デバイスであってよく、または、携帯情報端末（ＰＤＡ）、他の携帯式のデバイス、ネットブック、ラップトップコンピュータなどであってよい。
【００２３】
以下の議論では、モバイルデバイス１０５は、複数のベーストランシーバ基地局（図示せず）によって支援されるマクロセルまたは同様のネットワーク上で動作し得る（そのようなネットワークに「留まり得る」）。マクロセルが例示のために使用されるが、本明細書で説明される原理は、マイクロセルまたはピコセルにも適用され得る。各マクロセルは、比較的広い地理的エリア（たとえば、半径数キロメートル）をカバーすることができ、サービスに加入している端末による無制限アクセスを可能にできる。
【００２４】
モバイルデバイス１０５は、一般に、高度なモバイル動作を支援するために、小さなバッテリのような内部電源を使用して動作し得る。モバイルデバイス１０５の電力消費を軽減するために、フェムトセル１３５のようなネットワークデバイスの戦略的展開が使用され得る。たとえば、フェムトセル１３５は、（たとえば、容量制限、帯域幅制限、信号フェージング、信号シャドーイング（shadowing）などのために）本来は十分なサービスを経験できない、またはいかなるサービスも経験できない可能性のあるエリア内でサービスを提供するために利用されてよく、それにより、モバイルデバイス１０５が探索時間を低減し、送信出力を低減し、送信時間を短縮することなどが可能になる。フェムトセル１３５は、比較的狭いサービスエリア内（たとえば、家屋または建物の中）でサービスを提供し得る。したがって、モバイルデバイス１０５は通常、サービスされている時フェムトセル１３５の近くに配設され、モバイルデバイス１０５が低減された送信出力によって通信することをしばしば可能にする。
【００２５】
例として、フェムトセル１３５は、住宅、オフィスビルなどのようなユーザの敷地の中に位置するＨｏｍｅ  ＮｏｄｅＢ（「ＨＮＢ」）として実装されてよい。建物についてのフェムトセル１３５の位置は、（たとえば、窓の近くでの）全地球測位衛星（ＧＰＳ）信号へのアクセスを可能にするように、最大のカバレッジのために（たとえば、中心の位置に）選定されてよく、または他の位置に選定されてよい。本明細書の開示では、１つまたは複数のモバイルデバイス１０５が、実質的にユーザの敷地全体にわたってカバレッジを提供する、単一のフェムトセル１３５に（たとえば、その単一のフェムトセル１３５のホワイトリストに）登録されると仮定する。フェムトセル１３５は、マクロセルネットワークへの接続（たとえば、ブロードバンド接続）を介して、通信サービスへのアクセスをモバイルデバイス１０５に提供する。本明細書で使用するマクロセルネットワークは、ワイヤレスワイドエリアネットワーク（ＷＷＡＮ）であると仮定される。したがって、「マクロセルネットワーク」および「ＷＷＡＮネットワーク」のような用語は交換可能である。同様の技法が、本開示または特許請求の範囲から逸脱することなく、他のタイプのネットワーク環境、カバレッジトポロジーなどに適用され得る。
【００２６】
いくつかの例では、フェムトセル１３５は、１つまたは複数の帯域外（out-of-band; ＯＯＢ）通信モジュールと統合され得る。図示される例では、フェムトセル１３５は、（ＯＯＢスペクトルである）ホワイトスペーススペクトル上でマルチメディアコンテンツをディスプレイ１３０へ送信するための、ホワイトスペースモジュール１２５を含む。本明細書で使用する「帯域外」または「ＯＯＢ」は、マクロセルネットワーク（または適用可能な場合にはマクロセルもしくはピコセル）に対して帯域外である任意のタイプの通信を含む。たとえば、フェムトセル１３５は、ホワイトスペーススペクトル（５４〜７２ＭＨｚ、７６〜８８ＭＨｚ、１７４〜２１６ＭＨｚ、および４７０〜８０６ＭＨｚ、または、Ｆｏｒｗａｒｄ  Ｌｉｎｋ  Ｏｎｌｙエアインターフェース仕様によってサービスされる利用可能なスペクトル（以後、「ＦＬＯスペクトル」）、Ｂｌｕｅｔｏｏｔｈ（登録商標）（たとえば、クラス１、クラス１．５、および／またはクラス２）、ＺｉｇＢｅｅ（たとえば、ＩＥＥＥ  ８０２．１５  ４−２００３ワイヤレス規格に従った）、および／または、マクロセル帯域外の任意の他の有用なタイプの通信を使用して、動作するように構成され得る。ＯＯＢの統合は、いくつかの特徴をもたらし得る。たとえば、ＯＯＢモジュールは、干渉の低減、低電力の登録、および／または再選択などを可能にし得る。
【００２７】
上で述べられたように、モバイルデバイス１０５は、フェムトセル１３５において、ＷＷＡＮスペクトル上で、マルチメディアコンテンツ制御情報をＷＷＡＮモジュール１１０へ送信することができる。モバイルデバイス１０５は、ユーザインターフェースを生成して表示し、モバイルデバイス１０５のユーザがマルチメディアコンテンツの配信を選択し制御するのを可能にすることができる。この選択は、マルチメディアコンテンツ制御情報において示され得る。モバイルデバイス１０５とＷＷＡＮモジュール１１０との間の通信は双方向であってよく、ＷＷＡＮモジュール１１０が、モバイルデバイス１０５のユーザからの問い合わせに応答して、番組情報または案内を送信する。
【００２８】
マルチメディアコンテンツモジュール１１５は、マルチメディアコンテンツ制御情報を受信して処理することができ、次いで、受信された制御情報によって特定されるマルチメディアコンテンツに（たとえば、インターネットへのブロードバンド接続、セットトップボックス、ローカルメディアサーバ、またはローカル記憶デバイスを介して）アクセスすることができる。マルチメディアコンテンツモジュール１１５は、有線もしくはワイヤレスの接続、またはこれらの組合せ（たとえば、インターネットへの有線接続を有するブロードバンドモデムへのＷｉ−Ｆｉ接続）を介して、コンテンツ源１２０と接続され得る。
【００２９】
マルチメディアコンテンツモジュール１１５は、（たとえば、Ａｄｖａｎｃｅｄ  Ｔｅｌｅｖｉｓｉｏｎ  Ｓｙｓｔｅｍｓ  Ｃｏｍｍｉｔｔｅｅ（ＡＴＳＣ）規格に従って）マルチメディアコンテンツを処理し変換して、送信のためのコンテンツを準備することができる。ホワイトスペースモジュール１２５は、ホワイトスペーススペクトル上で、マルチメディアコンテンツをビデオディスプレイ１３０へワイヤレスに送信することができる。
【００３０】
述べられたように、マルチメディアコンテンツモジュール１１５は、インターネットへの有線接続を介してマルチメディアコンテンツを取り出すことができる。この取り出しは、フェムトセル１３５と通信しておりモバイルデバイス１０５とは別個の、家庭用コンピューティングデバイス（たとえば、ラップトップコンピュータまたはパーソナルコンピュータ）を介して起こり得る。このリンクはまた、フェムトセル１３５をサービスプロバイダのネットワークと接続する役割も果たし得る。いくつかの例では、マルチメディアコンテンツモジュール１１５は、放送信号（たとえば、ＦＬＯまたはケーブル放送信号）を受信し、ホワイトスペーススペクトルを介した送信のための、放送信号の選択される１つを特定することができ、選択される信号は、マルチメディアコンテンツ制御情報に従って特定される。
【００３１】
ホワイトスペーススペクトルは、全国的に（たとえば米国に亘る）ブロードキャストサービスに割り当てられているが、局所的には割り当てられていないスペクトルからなっていてよい。ホワイトスペースモジュール１２５は、所与の地理的領域に対してホワイトスペースを割り付けるデータ記憶装置にアクセスし、次いで、問い合わせ中の位置データに含めることによってホワイトスペーススペクトルを特定することができる。別の例では、ホワイトスペースモジュール１２５は、全国的にブロードキャストサービスへ割り当てられたホワイトスペーススペクトルを含むスペクトルを監視して、テレビ局からの信号と補助サービス局からの（たとえば、ワイヤレスマイクロフォンからの）信号とを検出することができる。使用されていない周波数を特定することによって、ホワイトスペースモジュール１２５は、ホワイトスペーススペクトルを特定することができる。
【００３２】
マルチメディアコンテンツは、文字列、音声、静止画像、動画、映像、および双方向性コンテンツの形式の、任意の組合せを含む。マルチメディアコンテンツはまた、（たとえば、ビデオディスプレイに表示されるブロードキャストプログラムの）映像品質を強化するための、１つまたは複数の層の符号化された映像またはグラフィクスを含み得る。加えて、マルチメディアコンテンツはまた、ホワイトスペーススペクトルを通じて、またはより具体的にはＦＬＯスペクトル上で送信される、ＦＬＯストリームの映像品質を強化するための１つまたは複数の層の符号化されたＦＬＯ映像を含み得る。したがって、マルチメディアコンテンツは、幅広く解釈されるべきである。
【００３３】
次に図１Ｂを参照すると、ブロック図が、ワイヤレス通信システム１００Ｂの例を示す。システム１００Ｂは、モバイルデバイス１０５と、フェムトセル１３５−ａと、家庭用コンピューティングデバイス１４０と、インターネット１２０−ａと、ディスプレイ１３０とを含む。フェムトセル１３５−ａは、ワイヤレスワイドエリアネットワーク（ＷＷＡＮ）モジュール１１０と、マルチメディアコンテンツモジュール１１５と、ＦＬＯモジュール１２５−ａとを含む。これらのコンポーネントの各々は、互いに、直接または間接的に通信していてよい。このシステムは、図１Ａのシステム１００Ａの例であり得る。
【００３４】
モバイルデバイス１０５は、ＷＷＡＮスペクトル上で、マルチメディアコンテンツ制御情報をＷＷＡＮモジュール１１０へ送信することができる。マルチメディアコンテンツ制御情報は、マルチメディアコンテンツモジュール１１５によって取り出されるべきマルチメディアコンテンツを特定する情報を含み得る。マルチメディアコンテンツモジュール１１５は、（たとえば、家庭用コンピューティングデバイス１４０を介してインターネット１２０−ａから）受信された制御情報において示されるマルチメディアコンテンツにアクセスすることができる。マルチメディアコンテンツモジュール１１５は、マルチメディアコンテンツを処理し変換して、ＦＬＯスペクトルを介したＦＬＯ対応ディスプレイへの送信のためのコンテンツを準備することができる。ＦＬＯモジュール１２５−ａは、使用されていないＦＬＯスペクトル上で、ＦＬＯ対応ディスプレイ１３０へマルチメディアコンテンツをワイヤレスに送信することができる。
【００３５】
次に図１Ｃを参照すると、ブロック図が、ワイヤレス通信システム１００Ｃの別の例を示す。システム１００Ｃは、モバイルデバイス１０５−ａと、フェムトセル１３５−ｂと、コンテンツ源１２０とを含む。フェムトセル１３５−ｂは、ワイヤレスワイドエリアネットワーク（ＷＷＡＮ）モジュール１１０と、マルチメディアコンテンツモジュール１１５と、ホワイトスペースモジュール１２５とを含む。これらのコンポーネントの各々は、互いに、直接または間接的に通信していてよい。このシステムは、図１Ａまたは図１Ｂのシステム１００Ａ、１００Ｂの例であり得る。
【００３６】
モバイルデバイス１０５−ａは、ＷＷＡＮスペクトル上で、マルチメディアコンテンツ制御情報をＷＷＡＮモジュール１１０へ送信することができる。マルチメディアコンテンツ制御情報は、マルチメディアコンテンツモジュール１１５によって取り出されるべきマルチメディアコンテンツを特定する情報を含み得る。マルチメディアコンテンツモジュール１１５は、コンテンツ源１２０からマルチメディアコンテンツを取り出すことができる。マルチメディアコンテンツモジュール１１５は、マルチメディアコンテンツを処理し変換して、（たとえば、ＡＴＳＣまたは他の関連する規格に従って）ホワイトスペースを介した送信のためのコンテンツを準備することができる。ホワイトスペースモジュール１２５は、ホワイトスペースを介して、マルチメディアコンテンツをモバイルデバイス１０５−ａへワイヤレスに送信することができる。したがって、モバイルデバイス１０５−ａは、ホワイトスペーススペクトル（たとえば、使用されていないＦＬＯスペクトルを含み得る）を通じてマルチメディアコンテンツを受信するように構成される、デュアルモードデバイスであってよい。他の例では、モバイルデバイス１０５−ａは、ＦＬＯスペクトル上でマルチメディアコンテンツ制御情報を送信し、ＦＬＯまたは他のホワイトスペーススペクトル上で、マルチメディアコンテンツを受信することができる。当業者は、多数の選択肢を認識する。
【００３７】
次に図１Ｄを参照すると、ブロック図が、ワイヤレス通信システム１００Ｄの別の例を示す。システム１００Ｄは、モバイルデバイス１０５と、フェムトセル１３５−ｃと、マルチメディアコンテンツ制御デバイス１１５−ａと、コンテンツ源１２０と、ディスプレイ１３０とを含む。フェムトセル１３５−ｃは、ワイヤレスワイドエリアネットワーク（ＷＷＡＮ）モジュール１１０と、ホワイトスペースモジュール１２５とを含む。これらのコンポーネントの各々は、互いに、直接または間接的に通信してよい。
【００３８】
モバイルデバイス１０５−ａは、ＷＷＡＮスペクトル上で、マルチメディアコンテンツ制御情報をＷＷＡＮモジュール１１０へ送信することができる。マルチメディアコンテンツ制御情報は、マルチメディアコンテンツ制御デバイス１１５−ａによって取り出されるべきマルチメディアコンテンツを特定する情報を含み得る。示される例では、マルチメディアコンテンツ制御デバイス１１５−ａは、フェムトセル１３５−ｃとは別である（たとえば、マルチメディアコンテンツ制御デバイス１１５−ａは、フェムトセル１３５−ｃと有線またはワイヤレスで通信してよい）。マルチメディアコンテンツ制御デバイス１１５−ａは、ローカルメディアサーバまたは家庭用パーソナルコンピュータであってよい。マルチメディアコンテンツ制御デバイス１１５−ａは、コンテンツ源１２０からマルチメディアコンテンツを取り出すことができる（コンテンツ源は、マルチメディアコンテンツ制御デバイス１１５−ａ自体であってよい）。マルチメディアコンテンツ制御デバイス１１５−ａまたはフェムトセル１３５−ｃは、ホワイトスペースを介した送信のためのコンテンツを準備するために、マルチメディアコンテンツを処理し変換することができる（たとえば，ＡＴＳＣまたは他の関連する規格に従って）。ホワイトスペースモジュール１２５は、ホワイトスペースを介して、マルチメディアコンテンツをディスプレイ１３０へワイヤレスに送信することができる。
【００３９】
図２は、ワイヤレス通信システム２００におけるフェムトセル１３５−ｃを使用したマルチメディアコンテンツの配信を示すブロック図を示す。このシステム２００は、図１Ａ、図１Ｂ、または図１Ｃの通信システム１００の例であり得る。フェムトセル１３５−ｃは、単一のデバイスに統合されてよく、または、多数のネットワーク化されたデバイスからなっていてよい（すなわち、多数の異なるデバイスが、互いに、直接または間接的に通信しており、フェムトセル１３５−ｃの機能を提供する）。フェムトセル１３５−ｃは、アンテナ２０５と、ＷＷＡＮトランシーバモジュール２１０と、ＷＷＡＮサブモジュール２１５とを含み、これらが集合的に、ＷＷＡＮスペクトル上で通信するように機能し得る。フェムトセル１３５−ｃはまた、ホワイトスペースサブモジュール２２５と、ＷＳトランシーバモジュール２３０と、アンテナ２３５とを含み、これらが集合的に、ホワイトスペーススペクトルを介した通信を支援するように機能し得る。加えて、フェムトセル１３５−ｃは、マルチメディアコンテンツモジュール１１５と、通信管理サブシステム２２０と、メモリ２２５とを含む。
【００４０】
フェムトセル１３５−ｃのコンポーネントの各々は、（たとえば、１つまたは複数のバスを介して）互いに、直接または間接的に通信してよい。ＷＷＡＮトランシーバモジュール２１０は、アンテナ２０５を介して、ＷＷＡＮスペクトル上でモバイルデバイス１０５と双方向に通信するように構成され得る。ＷＳトランシーバモジュール２３０は、アンテナ２３５を介して、ホワイトスペーススペクトル上でディスプレイ１３０と双方向に通信するように構成され得る。アンテナ２０５、２３５は別々に図示されているが、共通のアンテナであってもよい。また、モバイルデバイス１０５およびディスプレイ１３０は別個のデバイスとして図示されているが、他の例では、単一の統合されたデバイスであってもよい。
【００４１】
メモリ２２５は、ランダムアクセスメモリ（ＲＡＭ）と読取り専用メモリ（ＲＯＭ）とを含み得る。メモリ２２５は、実行されると、プロセッサ（たとえば、ＷＷＡＮサブモジュール２１５、ホワイトスペースサブモジュール２２５、マルチメディアコンテンツモジュール１１５、または通信管理サブシステム２２０の中のプロセッサ）に、本明細書で説明される様々な機能（たとえば、マルチメディア制御、取り出し、および送信、呼処理、データベース管理、メッセージルーティングなど）を実行させるように構成される命令を格納する、コンピュータ可読の、コンピュータ実行可能ソフトウェアコード（ＳＷ）２３０を記憶することができる。代替的に、ソフトウェア２２０は、プロセッサによって直接実行可能でないことがあるが、たとえば、コンパイルされ実行されると、コンピュータに本明細書で説明される機能を実行させるように構成され得る。
【００４２】
ＷＷＡＮサブモジュール２１５、ホワイトスペースサブモジュール２２５、マルチメディアコンテンツモジュール１１５、および通信管理サブシステム２２０は、たとえば、Ｉｎｔｅｌ（登録商標）ＣｏｒｐｏｒａｔｉｏｎまたはＡＭＤ（登録商標）製のものなどの中央演算処理装置（ＣＰＵ）、マイクロコントローラ、特定用途向け集積回路（ＡＳＩＣ）などのインテリジェントハードウェアデバイスによって実装され得る。各トランシーバモジュール２１０、２３０は、パケットを変調し、変調されたパケットを送信のためにそれぞれのアンテナ２０５、２３５に提供し、それぞれのアンテナ２０５、２３５から受信されたパケットを復調するように構成される、モデムを含み得る。
【００４３】
上で述べられたように、モバイルデバイス１０５は、アンテナ２０５を介して、ＷＷＡＮスペクトル上で、マルチメディアコンテンツ制御情報をＷＷＡＮトランシーバモジュール２１０へ送信することができる。ＷＷＡＮサブモジュール２１５は、フェムトセル１３５−ｃにおいて、モバイルデバイスの出力制御および登録の側面を管理することができる。
【００４４】
マルチメディアコンテンツモジュール１１５は、マルチメディアコンテンツ制御情報を受信して処理し、コンテンツ源１２０−ｂを通じて、受信された制御情報において示されるマルチメディアコンテンツを取り出すことができる。マルチメディアコンテンツモジュール１１５は、有線接続またはワイヤレス接続を介して、コンテンツ源１２０−ｂと接続され得る。
【００４５】
ホワイトスペースサブモジュール２２５は、全国的にブロードキャストサービスへ割り当てられた、ホワイトスペーススペクトルを含むスペクトルを監視して、テレビ局からの信号と補助サービス局からの（たとえば、ワイヤレスマイクロフォンからの）信号とを検出することができる。使用されていない周波数を特定することによって、ホワイトスペースサブモジュール２２５は、ホワイトスペーススペクトルを特定することができる。ＷＳトランシーバモジュール２３０は、ホワイトスペーススペクトル上で、アンテナ２３５を介して、アクセスされたマルチメディアコンテンツをディスプレイ１３０へ送信することができる。
【００４６】
フェムトセル１３５−ｃは、図２に明示的に示されない他のインターフェースと通信していてもよい。たとえば、フェムトセル１３５−ｃは、ネイティブセルラーワイヤレスリンク（たとえば、「帯域内」通信リンク）を通じて様々な適切に構成されたデバイスと通信するための、ネイティブセルラーインターフェース（たとえば、動作中に比較的多くの電力量を消費し得るセルラーネットワーク通信技法を利用する特殊なトランシーバ）と通信していてよい。そのような通信インターフェースは、限定はされないが、広帯域符号分割多元接続（Ｗ−ＣＤＭＡ）、ＣＤＭＡ２０００、ｇｌｏｂａｌ  ｓｙｓｔｅｍ  ｆｏｒ  ｍｏｂｉｌｅ  ｔｅｌｅｃｏｍｍｕｎｉｃａｔｉｏｎ（ＧＳＭ）、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭａｘ）、およびワイヤレスＬＡＮ（ＷＬＡＮ）を含む、様々な通信規格に従って動作し得る。さらに、または代替的に、フェムトセル１３５−ｃは、様々なデバイスまたは他のネットワークと通信するための、１つまたは複数のバックエンドネットワークインターフェース（たとえば、インターネット、パケット交換ネットワーク、交換ネットワーク、無線ネットワーク、制御ネットワーク、有線リンクなどを介して通信を行うバックホールインターフェース）と通信していてよい。
【００４７】
本明細書で使用される「高出力」と「低出力」という用語は相対的な語であり、特定のレベルの電力消費を示唆しない。したがって、一部のデバイスは、所与の動作時間の間、（たとえば、マクロセルとの通信のための）ネイティブセルラーインターフェースよりも消費電力が少なくなり得るにすぎない。いくつかの実装形態では、ＯＯＢインターフェースはまた、マクロ通信インターフェースと比較して、比較的低い帯域幅の通信、比較的短い距離の通信を提供し、かつ／または比較的小さな電力を消費し得る。ＯＯＢデバイスおよびインターフェースが低出力、短距離、および／または低帯域幅であるという制限はない。
【００４８】
（たとえば、フェムトセル１３５−ｃの通信機能を含む）様々な通信機能は、通信管理サブシステム２２０を使用して管理され得る。たとえば、通信管理サブシステム２２０は、マクロセル（たとえば、ＷＷＡＮ）、１つまたは複数のＯＯＢネットワーク（たとえば、ピコネット、ＯＯＢ無線、他のフェムトプロキシ、ＯＯＢビーコンなど）、１つまたは複数の他のフェムトセル、他のモバイルデバイス１０５などとの通信を少なくとも部分的に処理し得る。通信管理サブシステム２２０は、バスを介して他のコンポーネントの一部またはすべてと通信している、フェムトセル１３５−ｃのコンポーネントであってよい。図２に示されたもの以外の、様々な他のアーキテクチャが可能である。コンポーネントは、並べて置かれ、単一のデバイスに統合され、コンポーネントを共有するように構成されるなどする必要はない。
【００４９】
次に図３を参照すると、ブロック図が、プロセッサモジュール３００のいくつかのコンポーネントの例を示す。プロセッサモジュール３００は、図１Ａ、図１Ｂ、図１Ｃ、または図２のフェムトセル１３５において使用され得る。プロセッサモジュール３００は、ＷＷＡＮモジュール１１０−ａと、マルチメディアコンテンツモジュール１１５−ａ、ホワイトスペースモジュール１２５−ｂとを含み、機能は、図１Ａ、図１Ｂ、または図１Ｃの、ＷＷＡＮモジュール１１０、マルチメディアコンテンツモジュール１１５、およびホワイトスペースモジュール１２５に対して説明された機能と同様であり得る。
【００５０】
ＷＷＡＮモジュール１１０−ａは、モバイルデバイス（たとえば、モバイルデバイス１０５）からＷＷＡＮ通信を受信するように構成される。ＷＷＡＮモジュール１１０−ａは、フェムトセルの動作に影響を与えることを含めて、通信をどのように処理するかを決定することができる。モバイルデバイスは、ワイヤレスワイドエリアネットワーク（ＷＷＡＮ）スペクトルを介して、マルチメディアコンテンツ制御情報をＷＷＡＮモジュール１１０−ａへ送信することができる。マルチメディアコンテンツモジュール１１５−ａは、受信された制御情報を通じて特定可能な、マルチメディアコンテンツを取り出すことができる。ホワイトスペースモジュール１２５−ｂは、ホワイトスペーススペクトル上で、マルチメディアコンテンツをビデオディスプレイへワイヤレスに送信することができる。
【００５１】
図３のプロセッサモジュール３００のコンポーネントは、個別にまたは集合的に、ハードウェア中の適用可能な機能の一部またはすべてを実行するように適合された１つまたは複数の特定用途向け集積回路（ＡＳＩＣ）によって実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体または一部が、１つまたは複数の汎用または特定用途向けプロセッサによって実行されるようにフォーマットされた、メモリ中に組み込まれた命令によって実装され得る。各モジュールはメモリを含んでよく、またはアクセスされたメモリは、プロセッサモジュール３００上、またはプロセッサモジュール３００の外部のいずれの場所にあってもよい（たとえば、図２のメモリ２１５）。
【００５２】
上で説明されるように、フェムトセルシステムは、図１Ａ、図１Ｂ、図１Ｃ、または図２のモバイルデバイス１０５のような、クライアントデバイスと通信するように構成され得る。図４は、図１Ａ、図１Ｂ、図１Ｃ、もしくは図２を参照して説明されるフェムトセルとともに使用する、または図３のプロセッサモジュール３００を実装するフェムトセルにおいて使用する、モバイルデバイス１０５−ｂのブロック図４００である。モバイルデバイス１０５−ｂは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーのような、任意の数の様々な構成を有し得る。モバイルデバイス１０５−ａは、モバイル動作を支援するために、小さなバッテリなどの内部電源（図示せず）を有するモバイル構成を有し得る。
【００５３】
モバイルデバイス１０５−ａは、アンテナ４０５と、トランシーバモジュール４１０と、メモリ４１５と、プロセッサモジュール４２５とを含み、その各々は、（たとえば、１つまたは複数のバスを介して）互いに、直接または間接的に通信していてよい。トランシーバモジュール４１０は、上で説明されたように、アンテナ４０５および／または１つまたは複数の有線リンクもしくはワイヤレスリンクを介して、１つまたは複数のネットワークと双方向に通信するように構成される。たとえば、トランシーバモジュール４１０は、図１Ａ、図１Ｂ、図１Ｃ、または図２のフェムトセル１３５、より具体的には、図１Ａ、図１Ｂ、または図１ＣのＷＷＡＮモジュール１１０と双方向に通信するように構成される。ディスプレイモジュール４４５は、ユーザインターフェースを生成して表示し、モバイルデバイス１０５−ｂのユーザがマルチメディアコンテンツの配信を選択し制御するのを可能にすることができる。
【００５４】
いくつかの例では、トランシーバは、図１Ａ、図１Ｂ、または図１Ｃのホワイトスペースモジュール１２５とも双方向に通信できるので、モバイルデバイス１０５−ｂはデュアルモードのデバイスである。したがってトランシーバは、ホワイトスペーススペクトル上で信号を受信するように構成され得る（かつ、より具体的には、ＦＬＯスペクトルを通じて信号を受信するように構成され得る）。ディスプレイモジュール４４５は、ホワイトスペーススペクトル上で受信されたマルチメディアコンテンツを、受信し、処理し、表示することができる。
【００５５】
他の例では、トランシーバモジュール４１０は、代替的に、または上で説明されたインターフェースに加えて、他のＯＯＢリンクを介してさらに通信するように構成され得る。トランシーバモジュール４１０は、パケットを変調し、変調されたパケットを送信のためにアンテナ４０５に提供し、アンテナ４０５から受信されたパケットを復調するように構成される、モデムを含み得る。モバイルデバイス１０５−ｂは単一のアンテナを含み得るが、モバイルデバイス１０５−ｂは通常、複数のリンクのための複数のアンテナ４０５を含む。
【００５６】
メモリ４１５は、ランダムアクセスメモリ（ＲＡＭ）と読取り専用メモリ（ＲＯＭ）とを含み得る。メモリ４１５は、実行されるとプロセッサモジュール４２５に本明細書で説明される様々な機能（たとえば、呼処理、データベース管理、メッセージルーティングなど）を実行させるように構成される命令を格納する、コンピュータ可読の、コンピュータ実行可能ソフトウェアコード（ＳＷ）４２０を記憶することができる。代替的に、ソフトウェア４２０は、プロセッサモジュール４２５によって直接実行可能でないことがあるが、たとえば、コンパイルされ実行されると、コンピュータに本明細書で説明される機能を実行させるように構成され得る。
【００５７】
プロセッサモジュール４２５は、たとえば、Ｉｎｔｅｌ（登録商標）ＣｏｒｐｏｒａｔｉｏｎまたはＡＭＤ（登録商標）製のものなどの中央演算処理装置（ＣＰＵ）、マイクロコントローラ、特定用途向け集積回路（ＡＳＩＣ）などのインテリジェントハードウェアデバイスを含み得る。プロセッサモジュール４２５は、マイクロフォンを介して音声を受信し、その音声を、受信した音声を表す（たとえば、長さ３０ｍｓの）パケットに変換し、その音声パケットをトランシーバモジュール４１０に提供し、ユーザが話しているかどうかの指示を提供するように構成される、音声エンコーダ（図示せず）を含み得る。代替的に、エンコーダはパケットのみをトランシーバモジュール４１０に提供することができ、パケット自体の提供または抑制／抑圧が、ユーザが話しているかどうかの指示を提供する。
【００５８】
図４のアーキテクチャによれば、モバイルデバイス１０５−ｂは、通信管理サブシステム４４０をさらに含む。通信管理サブシステム４４０は、マクロセルネットワーク（たとえば、ＷＷＡＮ）、１つまたは複数のＯＯＢネットワーク、１つまたは複数のフェムトセルなどとの通信を管理することができる。たとえば、通信管理サブシステム４４０は、バスを介してモバイルデバイス１０５−ｂの他のコンポーネントの一部またはすべてと通信しているモバイルデバイス１０５−ｂのあるコンポーネントであり得る。代替的に、通信管理サブシステム４４０の機能は、トランシーバモジュール４１０のコンポーネントとして、コンピュータプログラム製品として、および／またはプロセッサモジュール４２５の１つまたは複数のコントローラ要素として実装され得る。
【００５９】
さらに、モバイルデバイス１０５−ｂは、ワイヤレスリンクを通じて他の適切に構成されたデバイスと通信するための、トランシーバモジュール４１０および／または通信管理サブシステム４４０の一部として実装されるＯＯＢインターフェース（たとえば、動作中に消費する電力を比較的少なくでき、かつ／または帯域内スペクトル中よりも生じる干渉を少なくできるトランシーバ）も含み得る。
【００６０】
図５は、本発明の様々な実施形態による、フェムトセルにおけるマルチメディアコンテンツの配信のための方法５００のフローチャートである。方法５００は、たとえば、図１Ａ、図１Ｂ、図１Ｃ、もしくは図２のフェムトセル１３５、または図３のプロセッサモジュール３００によって、全体または一部が実行され得る。
【００６１】
ブロック５０５において、マルチメディアコンテンツ制御情報が、モバイルデバイスからワイヤレスワイドエリアネットワーク（ＷＷＡＮ）スペクトルを介して受信される。ブロック５１０において、受信されたマルチメディアコンテンツ制御情報に応答して、マルチメディアコンテンツが、ホワイトスペーススペクトル上で、ビデオディスプレイへ送信される。
【００６２】
図６は、本発明の様々な実施形態による、フェムトセルにおけるマルチメディアコンテンツの配信の取り出しおよび配信のための方法のフローチャートである。方法６００は、図５を参照して説明された方法５００の例であり得る。方法６００は、たとえば、図１Ａ、図１Ｂ、図１Ｃ、もしくは図２のフェムトセル１３５、または図３のプロセッサモジュール３００によって、全体または一部が実行され得る。
【００６３】
ブロック６０５において、マルチメディアコンテンツ制御情報が、ワイヤレスワイドエリアネットワーク（ＷＷＡＮ）スペクトル上でモバイルデバイスから受信され、マルチメディアコンテンツ制御情報が、表示されるべきマルチメディアコンテンツを選択する。ブロック６１０において、マルチメディアコンテンツがインターネットを介して取り出され、取り出しは、マルチメディアコンテンツ制御情報に応答したものである。ブロック６１５において、取り出されたマルチメディアコンテンツが、Ａｄｖａｎｃｅｄ  Ｔｅｌｅｖｉｓｉｏｎ  Ｓｙｓｔｅｍｓ  Ｃｏｍｍｉｔｔｅｅ（ＡＴＳＣ）規格に従って処理される。ブロック６２０において、処理されたマルチメディアコンテンツは、ホワイトスペーススペクトル上でビデオディスプレイへ送信される。
【００６４】
図７は、本発明の様々な実施形態による、ＦＬＯスペクトルを使用したフェムトセルにおけるマルチメディアコンテンツの配信のための方法のフローチャートである。方法７００は、図５または図６を参照して説明された方法５００または６００の例であり得る。方法７００は、たとえば、図１Ａ、図１Ｂ、図１Ｃ、もしくは図２のフェムトセル１３５、または図３のプロセッサモジュール３００によって、全体または一部が実行され得る。
【００６５】
ブロック７０５において、マルチメディアコンテンツ制御情報が、ワイヤレスワイドエリアネットワーク（ＷＷＡＮ）スペクトル上でモバイルデバイスから受信され、マルチメディアコンテンツ制御情報が、ブロードキャストチャネルを特定する。ブロック７１０において、多数のブロードキャストチャネルが受信される。ブロック７１５において、マルチメディアコンテンツ制御情報に従って、特定されたブロードキャストチャネルが、多数の受信されたブロードキャストチャネルから選択される。ブロック７２０において、選択されたブロードキャストチャネルが、ＦＬＯスペクトル上でビデオディスプレイへ送信される。
【００６６】
図８は、本発明の様々な実施形態による、ホワイトスペーススペクトルを監視し、フェムトセルを介して、符号化された映像データの層を送信する、方法８００のフローチャートである。方法８００は、図５、図６または図７を参照して説明された、方法５００、６００、または７００の例であり得る。方法８００は、たとえば、図１Ａ、図１Ｂ、図１Ｃ、もしくは図２のフェムトセル１３５、または図３のプロセッサモジュール３００によって、全体または一部が実行され得る。
【００６７】
ブロック８０５において、マルチメディアコンテンツ制御情報が、ワイヤレスワイドエリアネットワーク（ＷＷＡＮ）スペクトル上でモバイルデバイスから受信され、マルチメディアコンテンツ制御情報が、ブロードキャストチャネルの強化された映像品質を規定する。ブロック８１０において、１つまたは複数の層の符号化された映像が受信され、これらの層は、ビデオディスプレイに表示されたブロードキャストプログラムの映像品質を強化するようにフォーマットされる。ブロック８１５において、全国的にブロードキャストサービスに割り当てられたスペクトルが監視され、この監視は、テレビ局からの信号と補助サービス局からの信号とを検出するために実行される。ブロック８２０において、ホワイトスペーススペクトルが、監視に少なくとも一部基づいて特定される。ブロック８２５において、符号化された映像の層が、特定されたホワイトスペーススペクトル上でビデオディスプレイへ送信され、ビデオディスプレイへ放送されるブロードキャストプログラムの映像品質を強化する。
【００６８】
説明に関する考慮事項
添付の図面に関して上に記載された詳細な説明は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。ただし、これらの技法は、これらの具体的な詳細なしに実施され得る。場合によっては、説明される実施形態の概念を不明瞭にしないように、よく知られている構造およびデバイスがブロック図の形式で示される。
【００６９】
情報および信号は、様々な異なる技術および技法のうちのいずれかを使用して表すことができる。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００７０】
本明細書の開示に関連して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェアコンポーネント、または本明細書で説明された機能を実行するように設計されたそれらの任意の組合せによって、実装または実行され得る。汎用プロセッサはマイクロプロセッサであってよいが、代替として、プロセッサは任意の従来のプロセッサ、コントローラ、マイクロコントローラ、または状態機械であってよい。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【００７１】
本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上で説明された機能は、プロセッサ、ハードウェア、ファームウェア、ハードワイヤリング、またはこれらのうちのいずれかの組合せによって実行されるソフトウェアを使用して実装され得る。機能を実装する機構はまた、機能の部分が、異なる物理的な位置において実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような、選言的列挙を示す。
【００７２】
コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、読取り専用メモリ（ＲＯＭ）、ランダムアクセスメモリ（ＲＡＭ）、磁気ＲＡＭ、コアメモリ、光ストレージ媒体もしくは他の光ディスクストレージ、磁気ディスクストレージもしくは他の磁気ストレージデバイス、または、命令もしくはデータ構造の形態の所望のプログラムコード手段を搬送または記憶するために使用でき、汎用または専用コンピュータもしくは汎用または専用プロセッサによってアクセスできる、任意の他の媒体であってよい。また、いかなる接続もコンピュータ可読媒体と適切に呼ばれる。たとえば、ソフトウェアが、同軸ケーブル、光ファイバケーブル、撚り対線（ツイストペア）、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）(登録商標）およびブルーレイディスク（disc）を含み、ディスク（disk）は、通常、データを磁気的に再生し、ディスク（disc）は、データをレーザで光学的に再生する。上記の組合せも、コンピュータ可読媒体の範囲内に含まれる。
【００７３】
本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用できる。本開示全体にわたって、「例」または「例示的」という用語は、一例または一事例を示すものであり、言及した例についての選好を示唆せず、または必要としない。したがって、本開示は、本明細書で説明する例および設計に限定されるべきでなく、本明細書で開示する原理および新規の特徴に合致する最も広い範囲を与えられるべきである。
【図１Ａ】
0005706000.tif 000002
【図１Ｂ】
0005706000.tif 000003
【図１Ｃ】
0005706000.tif 000004
【図１Ｄ】
0005706000.tif 000005
【図２】
0005706000.tif 000006
【図３】
0005706000.tif 000007
【図４】
0005706000.tif 000008
【図５】
0005706000.tif 000009
【図６】
0005706000.tif 000010
【図７】
0005706000.tif 000011
【図８】
0005706000.tif 000012